(57)【要約】【課題】  RMP方式におけるEMMの受信をより適切に行う放送受信装置を提供する。【解決手段】  放送事業者の送信機から暗号化されて送信されたデジタル放送信号を受信する放送受信装置であって、所定の観測期間毎に当該受信装置に対するEMM（Entitlement Management Message）を受信できたか否かを放送チャンネル毎に記憶する記憶手段と、前記記憶手段を参照しＥＭＭを受信できなかった放送チャンネルに関して所定の動作を行う制御手段とを具備することを特徴とする放送受信装置。【選択図】図４
2008141350.tif 000002
【特許請求の範囲】
【請求項１】
放送事業者の送信機から暗号化されて送信されたデジタル放送信号を受信する放送受信
装置であって、
所定の観測期間毎に当該受信装置に対するEMM（Entitlement Management Message）を
受信できたか否かを放送チャンネル毎に記憶する記憶手段と、
前記記憶手段を参照しＥＭＭを受信できなかった放送チャンネルに関して所定の動作を行
う制御手段とを
備えたことを特徴とする放送受信装置。
【請求項２】
前記所定の観測期間はユーザーによる外部からの操作に基づいて設定可能であることを
特徴とする請求項１に記載の放送受信装置。
【請求項３】
前記所定の動作は、当該チャンネルのEMMを受信することであることを特徴とする請求
項１に記載の放送受信装置。
【請求項４】
前記所定の動作は、当該チャンネルをユーザーに通知することであることを特徴とする
請求項１に記載の放送受信装置。
【請求項５】
放送事業者の送信機から暗号化されて送信されたデジタル放送信号を受信する放送受信
装置であって、
所定の観測期間毎に当該受信装置に対するEMM（Entitlement Management Message）を
受信できたか否かを放送チャンネル毎に記憶する記憶手段と、
前記記憶手段を参照しＥＭＭを受信できた放送チャンネルに関してこのEMM内鍵情報の更
新の有無を判定しこの鍵情報の更新が有った放送チャンネルに関して所定の動作を行う制
御手段とを
備えたことを特徴とする放送受信装置。
【請求項６】
前記所定の観測期間はユーザーによる外部からの操作に基づいて設定可能であることを
特徴とする請求項５に記載の放送受信装置。
【請求項７】
前記所定の観測期間は放送チャンネル毎のEMMの更新周期を計測し設定することを特徴
とする請求項５に記載の放送受信装置。
【請求項８】
前記所定の動作は、当該チャンネルをユーザーに通知することであることを特徴とする
請求項５に記載の放送受信装置。
【請求項９】
放送事業者の送信機から暗号化されて送信されたデジタル放送信号を受信する放送受信
装置であって、
所定の観測期間毎に当該受信装置に対するEMM（Entitlement Management Message）を
受信できたか否かをユーザーによる外部からの操作に基づいて指定された放送チャンネル
毎に記憶する記憶手段と、
前記記憶手段を参照しＥＭＭを受信できなかった全放送チャンネルに関して順次ＥＭＭの
受信を行う制御手段とを
備えたことを特徴とする放送受信装置。
【発明の詳細な説明】
【技術分野】
【０００１】
本発明は、放送受信装置に係り特にEMM（Entitlement Management Message：受信機側
の個別情報）の受信方法に関する。
【背景技術】
【０００２】
地上デジタル放送向け著作権保護方式（RMP方式）におけるEMMの受信方法に関するもの
である。地上デジタル放送向け著作権保護方式（RMP方式）とは有料放送のような課金を
伴わず、放送されるコンテンツの著作権保護に特化した方式であり、2006年11月現在、社
団法人電波産業会 デジタル放送システム開発部会 権利保護作業班等で規格化に向けた作
業が行われている方式である。
【０００３】
このRMP方式の運用想定では、BS放送で使用されている有料放送用の限定受信方式と同様
に定期的なもしくは臨時のKw（ワーク鍵）更新を実施するとなっているが、使用頻度の低
い受信機ではKw更新に追従できず視聴不可の懸念が指摘されている。
【０００４】
これに対して自動的にEMMを受信する技術としては、BS放送の限定受信方式で通電制御
という手法が用いられているが、それは放送局からの通知（情報）によりEMMを自動的に
受信することを特徴とするものでRMP方式では使用されない。例えば、特許文献１に記載
の技術では、システムコントローラがＥＭＭにより指定された通電期間を監視し、ＢＳデ
ジタル回路部にＥＭＭ受信指示を出し、所定時間経過後にＢＳデジタル回路部への電源供
給を停止しスタンバイ状態となると記されている。
【０００５】
しかしながらRMP方式では通電制御という「自動的にEMMを受信するための通知手法」と
主張される特許文献１に記載の方法が使用されることはない。理由を言い換えれば、RMP
方式に於いては受信機側では自己宛のEMMがいつ更新されるのかわからないというRMP方式
運用上の制約に対処する技術は、開示されていない。
【特許文献１】特開２００１−２４４９０４号公報（４頁、図１）
【発明の開示】
【発明が解決しようとする課題】
【０００６】
本発明は、RMP方式におけるEMMの受信をより適切に行う放送受信装置を提供することを
目的とする。
【課題を解決するための手段】
【０００７】
上記課題を解決するために、本発明の放送受信装置は、放送事業者の送信機から暗号化
されて送信されたデジタル放送信号を受信する放送受信装置であって、所定の観測期間毎
に当該受信装置に対するEMMを受信できたか否かを放送チャンネル毎に記憶する記憶手段
と、前記記憶手段を参照しＥＭＭを受信できなかった放送チャンネルに関して所定の動作
を行う制御手段とを具備することを特徴とする。
【発明の効果】
【０００８】
本発明によれば、RMP方式におけるEMMの受信をより適切に行う放送受信装置が得られる
。装置に関する発明であるが、方法に関しても同様に有効である。
【発明を実施するための最良の形態】
【０００９】
以下、本発明の実施例を説明する。
【実施例１】
【００１０】
本発明による実施例１を図１乃至図８を参照して説明する。
図１は、ＲＭＰ方式を利用した放送システムの例である。このうち発明の一実施例を受信
機２において示す。
この図１に示すように、放送局１ではＲＭＰ方式に対応した受信機だけが視聴できるよう
に放送番組の信号を１４にてスクランブル（暗号化）して放送する。その際、番組をスク
ランブル（暗号化）する際に使用したスクランブル鍵Ｋｓを含む番組情報（以下ＥＣＭ）
を１５にて生成し、１７にて番組に多重し放送する、なおＥＣＭは不正ができないように
暗号化しており、暗号化に使用する鍵をワーク鍵Ｋｗとよぶ。一方、受信機に対してはＥ
ＣＭを復号するために使用するワーク鍵Ｋｗを含む個別情報（以下ＥＭＭ）を１６にて生
成し、１７にて放送信号に多重され放送するようになっている。このＥＭＭも不正ができ
ないようにデバイス鍵Kdiにて暗号化する。暗号化に使用するデバイス鍵Kdi[so1] は受信
機のメーカーあるいは機種ごとの単位で異なる鍵であって、次に述べる受信機２で使用さ
れるＲＭＰ方式処理部２６にも記憶され放送局１と共有化されている鍵であり、受信機製
造時などのタイミングでＲＭＰ方式処理部２６に書き込まれる（設定される）情報である
。
【００１１】
受信機２は、放送局から送信アンテナ１８、衛星３、受信アンテナ２１を経由して送ら
れてくる電波をチューナ２２で選局後含まれるＥＭＭをデマルチプレクサ２３にて分離、
さらにＲＭＰ方式処理部２６内の復号回路２６２にて暗号復号の後、ＥＭＭメモリ２６４
に記憶し、視聴を希望する番組のＥＣＭとの視聴可否判定に使用するよう構成されている
。一方ＥＣＭもデマルチプレクサ２３にて分離、さらにＲＭＰ方式処理部２６内の復号回
路２６１にて暗号復号されるよう構成されている。これらＥＣＭ、ＥＭＭを使用して視聴
判定の結果、視聴できると判定した場合には、ＥＣＭから番組をデスクランブル（復号化
）するためのスクランブル鍵を取り出して、デスクランブラ２７を制御しユーザーが番組
を視聴できるよう構成されている。デスクランブラ２７の出力はＭＰＥＧデコーダ２９へ
導かれＭＰＥＧデコーダ２９の出力は図示せぬディスプレイ、スピーカへ供給されるＴＶ
信号となっている。制御部４７は各部の動作を司る制御を行う。
【００１２】
図２はＥＭＭのセクション構成を示す図[so2] である。ＥＭＭセクションに複数含まれ
るＥＭＭ本体のうち当該受信機向けのＥＭＭ本体の可変部には１６バイトのワーク鍵Kwが
ある。
【００１３】
また図３はＥＣＭのセクション構成を示す図[so3] である。ＥＭＭより得られたワーク
鍵KwがＥＣＭ固定部のワーク鍵識別と一致すればＥＣＭのスクランブル鍵が使用許可とな
るように規定されている。
【００１４】
以上説明した放送受信システムにおいて、ＥＭＭにより定期的なもしくは臨時のKw更新を
実施するとなっているが、使用頻度の低い受信機ではKw更新に追従できず視聴不可の懸念
が指摘されている。これは、ＲＭＰ方式においてはKwの更新は放送局ごとの管理となって
おり、例えば全部で５チャンネルの放送局を視聴可能な地域においては、全５チャンネル
のKw更新に追従する必要がある。例えば、チャンネル１で１ヵ月毎にＫｗ更新、チャンネ
ル２で２ヵ月毎にＫｗ更新などの運用を行っている場合には、チャンネル１は１ヵ月毎、
チャンネル２は２ヵ月毎にＫｗ更新するＥＭＭを受信できなければ、更新後に選局した場
合にＥＭＭを受信するまでの期間はＫｗが合わないため視聴できないこととなる。すなわ
ち使用頻度の低い受信機ではＥＭＭを受信する機会も少なくなるため、ＥＭＭを受信でき
ないというリスクがあることになる。
【００１５】
図４には本実施例のKw更新に関わるユーザー通知画面、条件設定画面の表示例を示してい
る。リモコン４を用いて対話的に表示、条件入力を行えばよい。
この受信機では、所定の観測期間（例えば1ヶ月）の間に、当該受信機（デバイスID）に
対するEMMを1度でも受信できたか否かをTSごと（チャンネルごと）に記憶し、EMMを受信
できなかった場合チャンネルに、所定の動作を行うことを特徴とする。ここでの所定の動
作とは、EMMを1度も受信できなかったTS（チャンネル）において、EMMを自動的に受信す
ることであり、例えばEMMを受信でなかったことを検知した受信機が受信機がEMMを自動的
に受信するために、サブ電源オフの時間（すなわちユーザーが視聴や留守録などしていな
い時間）に当該TS（チャンネル）をスキャンすることを特徴とする。これによってKw更新
に追従できないというリスクの低減が可能となる。
【００１６】
また、前記所定の観測期間はユーザーが設定可能なこととし、例えば何らかの手段により
、Kwの更新する期間が最短で1ヶ月と周知されている場合においては、ユーザーが前記所
定の観測期間を1ヶ月と設定し、観測することにより、当該観測期間において少なくともE
MMを受信できたか否かを受信機が検知すること、もしくはユーザーが知ることが可能とな
る。
【００１７】
以上が図４（ａ）の左のブロックに対応する説明であるが、図４（ｂ）はＥＭＭの再送
周期に関するものである。スキャン実施時には、通常あるTS（チャンネル）で自己宛ＥＭ
Ｍを受信できたら順次、次のTS（チャンネル）のスキャンを実施する。しかしながら放送
局の事情、受信状態の悪化に伴う伝送路のエラーの増加など何らかの事情によりＥＭＭを
受信できない場合も想定される、このためタイムアウト処理が必要であり、タイムアウト
処理時間としては、この再送周期を利用する。この再送周期は何らかの手段により、周知
されていても良いし、あるいはまた受信機２でチャンネル毎に予め観測しておけばよい。
【００１８】
図４（ｃ）はＥＭＭの更新周期である。これも何らかの手段により、周知されていても
良いし、あるいは一つの手段としてはチャンネル毎に予め観測しておけばよい。例えば１
ヶ月毎に更新をスキャンし、最短若しくは頻度の高い間隔を更新周期とみなす等による。
【００１９】
以上の動作フローの例を図５に示す。Ｓ１０１は、所定の観測期間は設定済みかの判定
であり、Ｎ（Ｎｏ）の場合はＳ１０２でデフォルト値を設定し、Ｙ（Ｙｅｓ）の場合はそ
のままに、いずれせよ次のＳ１０３へ進む。
【００２０】
Ｓ１０３は、所定の観測期間の設定要求があるかの判定であり、Ｎの場合はＳ１０４で
ユーザーにより外部から与えられた値を設定し、Ｙの場合はそのままに、いずれせよ次の
Ｓ１０５へ進む。ここまでが準備段階である。
【００２１】
Ｓ１０５では図示せぬ観測用タイマをリセットして観測を開始する。次のＳ１０６は、
所定の観測期間を経過したか観測タイマの終了であるかにより判定し、Ｎの場合はＳ１０
７で観測タイマを更新してＳ１０６に戻り、Ｙになった場合は次のＳ１０８へ進む。
【００２２】
Ｓ１０８は、ＥＭＭの受信ができたかの判定であり、Ｎの場合はＳ１０９で所定の動作
を行い、Ｙの場合はそのままに、いずれせよ処理を終了する。
図５のフロー例では、前記所定の観測期間の観測を繰り返し実施する動作になっていな
いが、繰り返し実施する動作とするためにはＳ１０６〜Ｓ１０９を繰り返せば良い。また
、図５のフロー例では、前記所定の観測期間の設定機会がＳ１０４であるが、繰り返し実
施する動作とする場合にはＳ１０６〜Ｓ１０９の繰り返しループ内に前記所定の観測期間
の設定機会を定義する処理を追加すれば良い。なお、その場合には前記所定の観測期間の
設定機会を設定した場合には合わせてＳ１０５と同様にタイマーをリセットしたほうが望
ましい。以上変更した場合の処理フロー例を図６に示す。
【００２３】
さらに本考案のサブ電源オフの時間に当該TS（チャンネル）をスキャンすることを特徴と
する受信機では、スキャン時にＥＭＭの再送周期を測定し、次回以降のスキャン時に利用
することを特徴とする。ＥＭＭの再送周期とは次のようなものである。ＥＭＭは同一のＥ
ＭＭデータを周期的に伝送するものであり、例えば図４のチャンネル１の例に示すように
３０秒周期で再送する。ＥＭＭの再送周期の測定に際しては、特定のデバイスＩＤの受信
機宛のEMMの再送周期を測定すれば良く、例えば自己（当該受信機用のデバイスＩＤ）宛
のＥＭＭの最初の受信とその次の受信の間隔を測定するものとする。測定した結果は次回
以降のスキャン時に利用し、例えば前回３０秒と測定できていた場合には、次回のスキャ
ン時に選局後３０秒程度受信していればＥＭＭの受信を期待できる。実際には伝送エラー
などにより受信できない場合も想定されるので、測定時間の２，３倍程度の時間をＥＭＭ
の受信のための時間とする必要があるが、再送周期が不明な場合と比べ、スキャン時の時
間の最適化をはかり、省電力化に寄与することが可能となる。
【００２４】
以上の動作フローの例を図７に示す。図７のフロー例では、前記所定の観測期間の観測を
繰り返し実施する動作になっていないが、繰り返し実施する動作とするためにはＳ３０６
〜Ｓ３１０を繰り返せば良い。また、図７のフロー例では、前記所定の観測期間の設定機
会がＳ３０４であるが、繰り返し実施する動作とする場合にはＳ３０６〜Ｓ３１０の繰り
返しループ内に前記所定の観測期間の設定機会を定義する処理を追加すれば良い。なお、
その場合には前記所定の観測期間の設定機会を設定した場合には合わせてＳ３０５と同様
にタイマーをリセットしたほうが望ましい。
【００２５】
これらのフローの処理は、図８に示す制御部４７において行われる。ＣＰＵ４７ａは、
ＲＯＭ４７ｂに収められているフローに対応する実行プログラムをフェッチし、ＲＡＭ４
７ｃをワーク領域として実行し、受信機内インタフェース４７ｄを通じて各部を制御して
実施する。
【００２６】
本例の受信機では、さらに所定の観測期間（例えば1ヶ月）の間に、当該受信機（デバイ
スID）に対するEMMを1度でも受信できたか否かをTSごと（チャンネルごと）に記憶すると
ともに、EMMを受信できたTSに関してはKwの更新があったか否かを記憶し、Kwの更新があ
ったTSに対し、所定の動作を行うことを特徴とする。
【００２７】
また、前記所定の観測期間はユーザーが設定可能なこと、あるいはEMMの更新周期を受信
機で計測し設定可能なこととし、例えば何らかの手段により、Kwの更新する期間が1ヶ月
と周知されている場合においては、ユーザーが前記所定の観測期間を1ヶ月と設定し、観
測することにより、当該観測期間において少なくともEMMを受信できたか否かを受信機が
検知することが可能となる。
【実施例２】
【００２８】
本発明による実施例２を図１乃至図３及び図５乃至図９を参照して説明する。実施例１
と共通する部分は説明を省略する。
実施例１の画面表示例に換えて、図９のKw更新に関わるユーザー通知画面、条件設定画
面表示例がある。相違は所定の動作がスキャンではなくユーザーへの通知であることであ
る。即ち前記所定の動作とは、EMMを1度も受信できなかったTS（チャンネル）をユーザー
に通知することであり、例えばEMMを受信でなかったことを知ったユーザが受信機がEMMを
受信するようにチャンネル切替をするということを実施可能であり、これによってKw更新
に追従できないというリスクの低減が可能となる。
【００２９】
本例の受信機でも、さらに所定の観測期間（例えば1ヶ月）の間に、当該受信機（デバイ
スID）に対するEMMを1度でも受信できたか否かをTSごと（チャンネルごと）に記憶すると
ともに、EMMを受信できたTSに関してはKwの更新があったか否かを記憶し、Kwの更新があ
ったTSに対し、所定の動作を行うことを特徴とする。
【００３０】
また、前記所定の観測期間はユーザーが設定可能なこと、あるいはEMMの更新周期を受信
機で計測し設定可能なこととし、例えば何らかの手段により、Kwの更新する期間が1ヶ月
と周知されている場合においては、ユーザーが前記所定の観測期間を1ヶ月と設定し、観
測することにより、当該観測期間において少なくともEMMを受信できたか否かをユーザー
が知ることが可能となる。
【００３１】
また、前記所定の動作とは、Kwの更新があったTS（チャンネル）をユーザーに通知するこ
とを特徴とする。
本発明においては、ＥＭＭを受信できないというリスクに対応する放送受信装置を提供す
ることを目的とし、所定の観測期間に当該放送受信装置に対するＥＭＭを１度も受信出来
たか否かをＴＳ（チャンル）毎に記憶し、全ＴＳのＥＭＭが受信出来なかった場合に所定
の動作を行う放送受信装置として実現している。
【００３２】
なお、この発明は上記実施例に限定されるものではなく、この外その要旨を逸脱しない範
囲で種々変形して実施することができる。
また、上記した実施の形態に開示されている複数の構成要素を適宜に組み合わせることに
より、種々の発明を形成することができる。例えば、実施の形態に示される全構成要素か
ら幾つかの構成要素を削除しても良いものである。さらに、異なる実施の形態に係る構成
要素を適宜組み合わせても良いものである。
【図面の簡単な説明】
【００３３】
【図１】ＲＭＰ方式を利用した放送システムの例と一実施例である受信機２のブロック構成図。
【図２】同実施例が利用するＥＭＭのセクション構成を示す図。
【図３】同実施例が利用するＥＣＭのセクション構成を示す図。
【図４】同実施例のKw更新に関わるユーザー通知画面、条件設定画面の表示例。
【図５】同実施例の動作フロー図１。
【図６】同実施例の動作フロー図２。
【図７】同実施例の動作フロー図３。
【図８】同実施例に用いられる制御部４７を示すブロック図。
【図９】他の実施例のKw更新に関わるユーザー通知画面、条件設定画面の表示例。
【符号の説明】
【００３４】
２…受信機、４…リモコン、２１…受信アンテナ、２２…チューナ、２３…デマルチプレ
クサ、２４…分離部、２５…デバイスID保持部、２６…ＲＭＰ方式処理部、２７…デスク
ランブラ、２９…ＭＰＥＧデコーダ、４７…制御部。
【図１】
2008141350.tif 000003
【図２】
2008141350.tif 000004
【図３】
2008141350.tif 000005
【図４】
2008141350.tif 000006
【図５】
2008141350.tif 000007
【図６】
2008141350.tif 000008
【図７】
2008141350.tif 000009
【図８】
2008141350.tif 000010
【図９】
2008141350.tif 000011